(57)【要約】      （修正有）【課題】多重の気密性、防水性及び耐引張性を有するケーブル及び波形管の固定ヘッドを提供する。【解決手段】多重の気密性、防水性及び耐引張性を有するケーブル及び波形管の固定ヘッド１００は、固定部材１０、少なくとも１つの接続部材２０、外蓋３０、第１のパッキン部材４０及び締付リング５０を含む。固定部材１０は、各部材を固定するために用いられる。少なくとも１つの接続部材２０が固定部材１０と外蓋３０との間に螺合され、内部に第１のパッキン部材４０及び締付リング５０が設置される。接続部材２０が第１のパッキン部材４０を圧迫して変形させ、外蓋３０が締付リング５０を圧迫して変形させることにより、内部に穿設されたケーブル９０及び波形管９１に対して２重の密封作用を形成することができる。【選択図】図６
0003192146.tif 000002
【実用新案登録請求の範囲】
【請求項１】
固定部材、少なくとも１つの接続部材、外蓋、第１のパッキン部材及び締付リングを備える多重の気密性、防水性及び耐引張性を有するケーブル及び波形管の固定ヘッドであって、
前記固定部材は、管状部材であり、第１の外ねじ山を有し、
前記少なくとも１つの接続部材は、第２の外ねじ山と、軸方向に貫通する第１の透孔と、前記第１の透孔の内壁面に形成される第１の斜面と、前記第１の透孔の内壁面に形成される第１の内ねじ山と、を有し、前記第１の内ねじ山と前記第１の外ねじ山とは、螺合され、
前記外蓋は、軸方向に貫通する穿孔と、前記穿孔の内壁面に形成される第２の斜面と、前記穿孔の内壁面に形成される第２の内ねじ山と、を有し、前記第２の内ねじ山と前記第２の外ねじ山とは、螺合され、
前記第１のパッキン部材は、前記固定部材内部及び前記接続部材の第１の透孔中に設けられ、前記第１のパッキン部材は、パッキンリングと、前記パッキンリングに嵌設される挟持爪と、を有し、前記パッキンリングは、軸方向に貫通する通孔を有し、
前記締付リングは、前記外蓋の穿孔及び前記接続部材の中に設けられ、前記締付リングは、軸方向に貫通する貫孔を有し、前記締付リングは、フック部を有し、前記フック部は、前記貫孔の内壁面に形成されることを特徴とする多重の気密性、防水性及び耐引張性を有するケーブル及び波形管の固定ヘッド。
【請求項２】
前記固定部材は、第３の外ねじ山及びストッパ部を有し、前記ストッパ部は、前記第１の外ねじ山と前記第３の外ねじ山との間に設けられ、
前記固定ヘッドは、ナットを更に有し、前記ナットは、前記第３の外ねじ山に螺合され、前記固定部材が外部の所定物に穿設された際、前記ナットは、前記ストッパ部と共に前記固定部材を前記所定物に固定し、前記固定部材は、前記ストッパ部と前記第３の外ねじ山との間に位置する係合溝を有し、前記係合溝には、防水リングが嵌設され、前記防水リングの一方の側面は、防水凸リングを有することを特徴とする請求項１に記載の多重の気密性、防水性及び耐引張性を有するケーブル及び波形管の固定ヘッド。
【請求項３】
前記パッキン部材のパッキンリングは、凸縁を有し、前記挟持爪の一方の側面は、前記凸縁に当接され、前記パッキンリングの外周面上には、頸部が形成され、前記挟持爪は、複数の爪部を有し、前記爪部の内側面上には、複数の締付凸部が形成され、前記締付凸部は、前記頸部に嵌入され、前記第１のパッキン部材の挟持爪は、前記接続部材の第１の斜面に当接される第３の斜面を有し、前記第３の斜面は、前記爪部の外端縁上に形成されることを特徴とする請求項１に記載の多重の気密性、防水性及び耐引張性を有するケーブル及び波形管の固定ヘッド。
【請求項４】
前記締付リングは、外リング部を更に有し、前記外リング部によって嵌合溝が画定され、前記嵌合溝は、フック部を有することを特徴とする請求項１に記載の多重の気密性、防水性及び耐引張性を有するケーブル及び波形管の固定ヘッド。
【請求項５】
前記接続部材は、２つである上、順番に結合する必要がなく、
前記固定ヘッドは、前記２つの接続部材中の一方の接続部材の第１の透孔及び他方の接続部材の第２の透孔の中に設けられる少なくとも１つの第２のパッキン部材を有し、前記第２のパッキン部材は、第２のパッキンリングと、前記第２のパッキンリングに嵌設される第２の挟持爪と、を有し、前記第２のパッキンリングは、軸方向に貫通する通孔を有し、前記第２のパッキン部材及び前記第１のパッキン部材は、構造が同一である上、互いに置換して使用することができ、前記挟持爪は、前記固定部材の第１の外ねじ山の内側に形成されることを特徴とする請求項１乃至請求項４の中の何れかに記載の多重の気密性、防水性及び耐引張性を有するケーブル及び波形管の固定ヘッド。
【請求項６】
前記接続部材は、複数である上、順番に結合する必要がなく、
前記固定ヘッドは、複数の第２のパッキン部材を有し、前記第２のパッキン部材は、第２のパッキンリングと、前記第２のパッキンリングに嵌設される第２の挟持爪と、を有し、前記第２のパッキンリングは、軸方向に貫通する通孔を有し、前記第２のパッキン部材は、前記２つの接続部材中の一方の接続部材の第１の透孔及び他方の接続部材の第２の透孔の中に設けられ、前記第２のパッキン部材及び前記第１のパッキン部材は、構造が同一である上、互いに置換して使用することができ、前記挟持爪は、前記固定部材の第１の外ねじ山の内側に形成されることを特徴とする請求項１乃至請求項４の中の何れかに記載の多重の気密性、防水性及び耐引張性を有するケーブル及び波形管の固定ヘッド。
【請求項７】
固定部材、少なくとも１つの接続部材、外蓋、第１のパッキン部材及び締付リングを備える多重の気密性、防水性及び耐引張性を有するケーブル及び波形管の固定ヘッドであって、
前記固定部材は、管状部材であり、第１の外ねじ山を有し、
前記少なくとも１つの接続部材は、第２の外ねじ山と、軸方向に貫通する第１の透孔と、前記第１の透孔の内壁面に形成される第１の斜面と、前記第１の透孔の内壁面に形成される第１の内ねじ山と、を有し、前記第１の内ねじ山と前記第１の外ねじ山とは、螺合され、
前記外蓋は、軸方向に貫通する穿孔と、前記穿孔の内壁面に形成される第２の斜面と、前記穿孔の内壁面に形成される第２の内ねじ山と、を有し、前記第２の内ねじ山と前記第２の外ねじ山とは、螺合され、
前記第１のパッキン部材は、前記固定部材内部及び前記接続部材の第１の透孔中に設けられ、前記第１のパッキン部材は、パッキンリングと、前記パッキンリングに嵌設される挟持爪と、を有し、前記パッキンリングは、軸方向に貫通する通孔を有し、
前記締付リングは、前記外蓋の穿孔及び前記接続部材の中に設けられ、前記締付リングは、軸方向に貫通する貫孔と、外リング部と、を有し、前記外リング部は、前記締付リングの一方の側面を密封して延設される外壁構造を呈し、前記外リング部によって嵌合溝が画定され、前記嵌合溝内部には、フック部が形成されることを特徴とする多重の気密性、防水性及び耐引張性を有するケーブル及び波形管の固定ヘッド。
【請求項８】
前記挟持爪は、前記固定部材の第１の外ねじ山の内側に形成されることを特徴とする請求項７に記載の多重の気密性、防水性及び耐引張性を有するケーブル及び波形管の固定ヘッド。
【考案の詳細な説明】
【技術分野】
【０００１】
本考案は、固定ヘッドに関し、特に、ケーブル及び波形管に対して多重の保護作用及び密封作用を提供ことができる多重の気密性、防水性及び耐引張性を有するケーブル及び波形管の固定ヘッドに関する。
【背景技術】
【０００２】
一般に、電気ケーブルは、電気ボックス、機器、電気通信ボックス、ネットワーク通信ボックスなどに使用される。電気ケーブルは、外力を受けて引っ張られやすいため、固定ヘッドの接続位置が緩んだり、変移したり、脱落したりしやすい。これにより、水が電気ケーブルに沿って電気ボックス、機器、電気通信ボックス、ネットワーク通信ボックスなどに浸入しやすい。
【０００３】
そこで、防水性を有するケーブル固定ヘッドが開発された。例えば、特許文献１の「ケーブル固定ヘッド」、特許文献２の「防水性及び耐引張性を有するケーブル接続ヘッドを有する外付ボックス」、特許文献３の「防水リングを有するケーブル固定ヘッド」及び特許文献４の「双パッキン式電源ケーブル及び波形管防水固定ヘッド」においては、何れも、接続環、挟持爪、パッキン輪及び外蓋を有する。接続環は、パネルなどの所定物にケーブル固定ヘッドを固定するために用いられる。接続環と外蓋とは螺合される。挟持爪は、パッキン輪に嵌設され、外蓋中に一体に設けられる。外蓋が挟持爪を圧迫し、パッキン輪が変形することにより、電気ケーブルに対して挟持締付作用が形成される。この挟持締付作用により、電気ケーブルが固定される上、防水効果が実現される。
【０００４】
しかし、上述の従来構造は、外部においては、接続環及び外蓋のみが電気ケーブルを保護し、内部においては、パッキン輪のみが電気ケーブルの挟持締付を行う。即ち、単一の挟持締付作用しか提供されず、電気ケーブルに対して単一の位置決めしか行うことができない。即ち、上述の従来構造は、強力な挟持締付作用による多重の気密性、防水性及び耐引張性を有さないため、ケーブル固定ヘッドが劣悪環境で使用されたり、強力な外力を受けたりした場合、ケーブル固定ヘッドから電気ボックスに水が浸入したり、電気ケーブルが脱落したりする状況が発生しやすい。
【０００５】
特許文献３の「防水リングを有するケーブル固定ヘッド」及び特許文献４の「双パッキン式電源ケーブル及び波形管防水固定ヘッド」の構造中、パッキン輪の第１パッキン段及び第２パッキン段が波形管及び電気ケーブルを締め付けることにより、２重のパッキン効果を達成しているが、第１パッキン段及び第２パッキン段は、２つのパッキン輪に別々に形成されるのではなく、１つのパッキン輪上に一体形成されるため、波形管又は電気ケーブルが外力を受けて緩んだ場合、第１パッキン段及び第２パッキン段の挟持締付作用が同時に影響を受けてしまう。即ち、実質的には、単一の挟持締付作用しか有さない。
【０００６】
また、上述の従来構造は、振動が発生する機械、屋外の強風などの外力でケーブルが引っ張られやすい環境、深海環境、爆発性気体が存在する環境などで用いる場合、高いＩＰ（ＩＮＴＥＲＮＡＴＩＯＮＡＬ  ＰＲＯＴＥＣＴＩＯＮ）等級を有する必要がある。しかし、叙述の従来構造においては、単一の電気ケーブル挟持締付作用しか有さないため、振動が発生する機械又は上述の環境に応用することができず、実用性に乏しい。
【０００７】
上述の説明から分かるように、従来技術における重大な問題は、電気ボックスのケーシングの配線孔の位置において、同一の電気ケーブルに対しては、１つのケーブル固定ヘッドしか装着することができない上、従来のケーブル固定ヘッドは、１つの固定部材によってケーブル及び波形管を固定することしかできないため、単一の気密性、防水性及び耐引張性しか有することができない点にある。
【先行技術文献】
【特許文献】
【０００８】
【特許文献１】台湾実用新案第３３８５７２号
【特許文献２】台湾実用新案第Ｍ３５７１１１号
【特許文献３】台湾実用新案第Ｍ３９１２２３号
【特許文献４】台湾実用新案第Ｍ３９３９０６号
【考案の概要】
【考案が解決しようとする課題】
【０００９】
本考案の目的は、固定部材と外蓋との間に少なくとも１つの接続部材が螺合される上、第１のパッキン部材及び締付リングが設置されることにより、ケーブル及び波形管に対して多重の保護作用、密封性、気密性、防水性及び耐引張性を提供することができるケーブル及び波形管の固定ヘッドを提供することにある。
本考案のもう１つの目的は、ＩＰ等級を高めることができ、優れた耐ねじれ性及び耐振動性を兼ね備えることにより、振動が発生する機械、屋外の強風などの外力でケーブルが引っ張られやすい環境、深海環境、爆発性気体が存在する環境などに適用され、実用性に優れた多重の気密性、防水性及び耐引張性を有するケーブル及び波形管の固定ヘッドを提供することにある。
【課題を解決するための手段】
【００１０】
上述の課題を解決するために、本考案の多重の気密性、防水性及び耐引張性を有するケーブル及び波形管の固定ヘッドは、固定部材、少なくとも１つの接続部材、外蓋、第１のパッキン部材及び締付リングを含む。固定部材は、管状部材であり、第１の外ねじ山を含む。接続部材は、第２の外ねじ山と、軸方向に貫通する第１の透孔と、第１の透孔の内壁面に形成される第１の斜面と、第１の透孔の内壁面に形成される第１の内ねじ山と、を含む。第１の内ねじ山と第１の外ねじ山とは、螺合される。外蓋は、軸方向に貫通する穿孔と、穿孔の内壁面に形成される第２の斜面と、穿孔の内壁面に形成される第２の内ねじ山と、を含む。第２の内ねじ山と第２の外ねじ山とは、螺合される。第１のパッキン部材は、固定部材内部及び接続部材の第１の透孔中に設けられる。第１のパッキン部材は、パッキンリングと、パッキンリングに嵌設される挟持爪と、を含む。パッキンリングは、軸方向に貫通する通孔を含む。締付リングは、外蓋の穿孔及び接続部材の中に設けられる。締付リングは、軸方向に貫通する貫孔を含む。締付リングは、フック部を含み、フック部は、貫孔の内壁面に形成される。
【００１１】
フック部は、波形管の凹溝内に係合するために用いられる。
【００１２】
接続部材は、２つである上、順番に結合する必要がない。固定ヘッドは、２つの接続部材中の一方の接続部材の第１の透孔及び他方の接続部材の第２の透孔の中に設けられる少なくとも１つの第２のパッキン部材を含む。第２のパッキン部材は、第２のパッキンリングと、第２のパッキンリングに嵌設される第２の挟持爪と、を含む。第２のパッキンリングは、軸方向に貫通する通孔を有する。第２のパッキン部材及び第１のパッキン部材は、構造が同一である上、互いに置換して使用することができる。
【００１３】
接続部材は、複数である上、順番に結合する必要がない。固定ヘッドは、複数の接続部材中の一方の接続部材の第１の透孔及び他方の接続部材の第２の透孔の中に設けられる複数の第２のパッキン部材を含む。
【００１４】
本考案の多重の気密性、防水性及び耐引張性を有するケーブル及び波形管の固定ヘッドは、固定部材、少なくとも１つの接続部材、外蓋、第１のパッキン部材及び締付リングを含む。固定部材は、管状部材であり、第１の外ねじ山を含む。少なくとも１つの接続部材は、第２の外ねじ山と、軸方向に貫通する第１の透孔と、第１の透孔の内壁面に形成される第１の斜面と、第１の透孔の内壁面に形成される第１の内ねじ山と、を含む。第１の内ねじ山と第１の外ねじ山とは、螺合される。外蓋は、軸方向に貫通する穿孔と、穿孔の内壁面に形成される第２の斜面と、穿孔の内壁面に形成される第２の内ねじ山と、を含む。第２の内ねじ山と第２の外ねじ山とは、螺合される。第１のパッキン部材は、固定部材内部及び接続部材の第１の透孔中に設けられる。第１のパッキン部材は、パッキンリングと、パッキンリングに嵌設される挟持爪と、を含む。パッキンリングは、軸方向に貫通する通孔を含む。締付リングは、外蓋の穿孔及び接続部材の中に設けられる。締付リングは、軸方向に貫通する貫孔と、外リング部と、を含む。外リング部は、締付リングの一方の側面を密封して延設される外壁構造を呈し、外リング部によって嵌合溝が画定される。嵌合溝内部には、フック部が形成される。
【考案の効果】
【００１５】
本考案の多重の気密性、防水性及び耐引張性を有するケーブル及び波形管の固定ヘッド中にケーブル及び波形管が穿設されて接続されると、固定部材と外蓋との間に増設される接続部材及び第１のパッキン部材により、波形管の外部に対して単一の固定作用、気密性、防水性及び耐引張性が形成される。また、外蓋が単独で締付リングを圧迫し、波形管を固定することにより、もう１つの固定作用、気密性、防水性及び耐引張性が形成される。これにより、外部の水分、埃などの異物は、先ず、波形管上の締付リングによって阻止され、極めて僅かな水分、埃などの異物が波形管を通過した場合でも、ケーブルの第１のパッキン部材によって阻止される。即ち、本考案の固定ヘッドには、少なくとも２重の密封作用が形成され、多重の保護作用、気密性、防水性及び耐引張性を有することができる。このことは、従来技術の固定ヘッドにおける、波形管及びケーブルを１つの部材で固定及び密封し、単一の気密性、防水性及び耐引張性しか有さず、１つの部材による固定方式が損壊した場合、ケーブル及び波形管の固定作用、気密性、防水性及び耐引張性が同時に失われるのとは異なる。本考案の固定ヘッドは、ＩＰ等級が高められる上、耐ねじれ性及び耐振動性を兼ね備えるため、振動が発生する機械、屋外の強風などの外力でケーブルが引っ張られやすい環境、深海環境、爆発性気体が存在する環境などに適用される。
従来の電気ケーブル固定ヘッドと比較し、本考案の多重の気密性、防水性及び耐引張性を有するケーブル及び波形管の固定ヘッドは、追加可能なユニークな構造の接続部材を有することにより、同一の配線孔の位置に気密性、防水性及び耐引張性を追加することができる。また、同一の電気ケーブルに対して複数の接続部材を追加することにより、気密性、防水性及び耐引張性を追加していくことができる。即ち、従来の電気ケーブル固定ヘッドにおける、電気ケーブル及び波形管に対して多重の気密性、防水性及び耐引張性を提供できない問題を克服することができ、性能を大幅に高め、強力な外力を受ける環境及び劣悪環境に応用することができる。
本考案の多重の気密性、防水性及び耐引張性を有するケーブル及び波形管の固定ヘッドは、ユニークな構造の接続部材を追加することによって多重の気密性を有することができるため、爆発性気体に対して耐浸透性を有する。
本考案の多重の気密性、防水性及び耐引張性を有するケーブル及び波形管の固定ヘッドは、ユニークな構造の接続部材を追加することによって多重の防水性を有することができるため、設備を更なる深海に設置することができる。
本考案の多重の気密性、防水性及び耐引張性を有するケーブル及び波形管の固定ヘッドは、ユニークな構造の接続部材を追加することによって多重の耐引張性を有することができるため、設備の電気ケーブルが外力によって引っ張られて緩んだりするのを防止することができる。
【図面の簡単な説明】
【００１６】
【図１】本考案の一実施形態を示す斜視図である。
【図２Ａ】本考案の一実施形態を示す分解斜視図である。
【図２Ｂ】本考案の一実施形態を示す分解斜視図である。
【図３】本考案の一実施形態を示す断面図である。
【図４】本考案の他の実施形態を示す斜視図である。
【図５】本考案の他の実施形態を示す分解斜視図である。
【図６】本考案の他の実施形態を示す断面図である。
【図７】本考案の締付リングの他の実施形態を示す断面図である。
【図８】本考案の固定部材及び第１のパッキン部材の他の実施形態を示す断面図である。
【図９】本考案の締付リングの他の実施形態を示す断面図である。
【考案を実施するための形態】
【００１７】
本考案の各機能及び特徴を明らかにするため、本考案の実施形態を図面に沿って詳細に説明する。
【００１８】
図１〜図３に示すように、本考案の多重の気密性、防水性及び耐引張性を有するケーブル及び波形管の固定ヘッド１００（以下、固定ヘッド１００）は、波形管９１及びケーブル９０を固定結合するために用いられる。固定ヘッド１００は、外部の所定物（電気ボックス、機器、電気通信ボックス、ネットワーク通信ボックスなどのパネル８０）上に設けるために用いられる（図７参照）。固定部材１０は、第１の外ねじ山１１を含む。接続部材２０は、第２の外ねじ山２１と、軸方向に貫通する第１の透孔２２と、第１の透孔２２の内壁面に形成される第１の斜面２３と、第１の透孔２２の内壁面に形成される第１の内ねじ山２４と、を含む。第１の内ねじ山２４と第１の外ねじ山１１とは、螺合される。外蓋３０は、軸方向に貫通する穿孔３１と、穿孔３１の内壁面に形成される第２の斜面３２と、穿孔３１の内壁面に形成される第２の内ねじ山３３と、を含む。第２の内ねじ山３３と第２の外ねじ山２１とは、螺合される。第１のパッキン部材４０は、固定部材１０内部及び接続部材２０の第１の透孔２２中に設けられる。第１のパッキン部材４０は、パッキンリング４１と、パッキンリング４１に嵌設される挟持爪４２と、含む。パッキンリング４１は、軸方向に貫通する通孔４１１を含む。締付リング５０は、外蓋３の穿孔３１及び接続部材２０の中に設けられる。締付リング５０は、軸方向に貫通する貫孔５１を含む。締付リング５０は、フック部５２を含む。フック部５２は、貫孔５１の内壁面に形成される。フック部５２は、波形管９１の凹溝９１０内に係合するために用いられる。
【００１９】
以上の構造により、固定ヘッド１００中にケーブル９０及び波形管９１が穿設されて接続されると、固定部材１０と外蓋３０との間に増設される接続部材２０及び第１のパッキン部材４０により、波形管９１の外部に対して単一の固定作用、気密性、防水性及び耐引張性が形成される。また、外蓋３０が単独で締付リング５０を圧迫し、波形管９１を固定することにより、もう１つの固定作用、気密性、防水性及び耐引張性が形成される。これにより、外部の水分、埃などの異物は、先ず、波形管９１上の締付リング５０によって阻止され、極めて僅かな水分、埃などの異物が波形管９１を通過した場合でも、ケーブル９０の第１のパッキン部材４０によって阻止される。即ち、本考案の固定ヘッド１００には、少なくとも２重の密封作用が形成され、多重の保護作用、気密性、防水性及び耐引張性を有することができる。このことは、従来の固定ヘッドにおける、波形管及びケーブルを１つの部材で固定及び密封し、単一の気密性、防水性及び耐引張性しか有さず、１つの部材による固定方式が損壊した場合、ケーブル及び波形管の気密性、防水性及び耐引張性が同時に失われるのとは異なる。
【００２０】
図２Ａ、図２Ｂ及び図３に示すように、本考案の一実施形態中、固定部材１０は、第３の外ねじ山１２及びストッパ部１３を有する。ストッパ部１３は、第１の外ねじ山１１と第３の外ねじ山１２との間に設けられる。本考案の固定ヘッド１００は、ナット６０を含む。ナット６０は、内ねじ山を有し、固定部材１０の第３の外ねじ山１２に螺合される。これにより、固定部材１０は、外部の所定物に穿設された後、ナット６０がストッパ部１３に組み合わされることにより、所定物に固定することができる。
【００２１】
ストッパ部１３及びナット６０が所定物の両側において挟設される上、ナット６０が螺進されることにより、固定部材１０を所定物に安定的に固定することができるため、引っ張られても軸方向に移動しにくい。これにより、本考案の固定ヘッド１００は、もう１つの耐引張性を有する。
【００２２】
本考案の一実施形態中、固定部材１０は、ストッパ部１３と第３のねじ山１２との間に位置する係合溝１４を有し、係合溝１４には、防水リング７０が嵌合される。
【００２３】
防水リング７０は、ストッパ部１３と所定物との間にも位置する上、弾性材料からなるため、ナット６０が螺合された際のパッキン効果を増大することができる。これにより、固定部材１０と所定物との接続部分が緩みにくい上、密封防水効果を有することができる。
【００２４】
また、防水リング７０が係合溝１４に嵌設されるため、ユーザが固定部材１０を移動させて施工する際、防水リング７０が脱落しにくい。これにより、作業効率を高めることができる。
【００２５】
図２Ａ、図２Ｂ及び図３に示すように、本考案の一実施形態中、第１のパッキン部材４０は、ゴム、プラスチック、シリコンなどの弾性材料からなる。
【００２６】
本考案の一実施形態中、締付リング５０は、ゴム、プラスチック、シリコンなどの弾性材料からなる。
【００２７】
図２Ａ、図２Ｂ及び図３に示すように、本考案の一実施形態中、パッキンリング４１は、凸縁４１２を有し、挟持爪４２の一方の側面が凸縁４１２に当接される。即ち、挟持爪４２がパッキンリング４１に嵌設されると、凸縁４１２によって挟持爪４２が位置決めされる。
【００２８】
また、パッキンリング４１の外周面上には、環状に凹陥した頸部４１３が形成される。挟持爪４２は、複数の爪部４２２を有する。爪部４２２の内側面上には、複数の締付凸部４２３が形成され、締付凸部４２３は、頸部４１３に嵌入される。
【００２９】
これにより、挟持爪４２が圧力を受け、爪部４２２がパッキンリング４１上を圧迫すると、パッキンリング４１の通孔４１１は、ケーブル９０に対して環状の密封作用を形成する。また、爪部４２２がパッキンリング４１上を圧迫する際、面で挟持締付するのではなく、点で挟持締付するため、大きな挟持締付力が必要ない。
【００３０】
本考案の一実施形態中、第１のパッキン部材４０の挟持爪４２は、第３の斜面４２１を含む。第３の斜面４２１は、爪部４２２の外端縁上に形成される。第３の斜面４２１は、接続部材２０の第１の斜面２３に当接するために用いられる。
【００３１】
これにより、接続部材２０の第１の斜面２３が挟持爪４２の第３の斜面４２１に当接されることにより、パッキンリング４１及び挟持爪４２は、圧力を受けて変形し、締付状態となる。
【００３２】
図２Ａ、図２Ｂ及び図３に示すように、本考案の一実施形態中、締付リング５０は、第４の斜面５３を含む。第４の斜面５３は、外蓋３０の第２の斜面３２に当接するために用いられる。
【００３３】
上述の説明は、本考案の各構成部材及び構成方式についての説明である。本考案の使用上の特徴及び機能を以下に示す。
【００３４】
図３に示すように、本考案の固定ヘッド１００にケーブル９０及び波形管９１を接続する際、外蓋３０の穿孔３１からケーブル９０を貫入させ、ケーブル９０を締付リング５０の貫孔５１内及びパッキンリング４１の通孔４１１内に貫通させる上、固定部材１０に貫通させる。また、波形管９１を締付リング５０の貫孔５１内に貫入させる。ケーブル９０及び波形管９１を固定する際は、外蓋３０を回転させる（即ち、外蓋３０を接続部材２０の方向に螺進させる）と、外蓋３０の第２の斜面３２が締付リング５０の第４の斜面５３を押さえ付ける。これにより、締付リング５０が締付状態となり、締付リング５０が圧力を受けて変形する。これにより、締付リング５０のフック部５２が波形管９１外周の凹溝９１０中に嵌入し、波形管９１に対するパッキンとなる第１のパッキン領域が形成される。
【００３５】
また、接続部材２０を回転させる（即ち、接続部材２０を固定部材１０の方向に螺進させる）と、接続部材２０の第１の斜面２３が挟持爪４２の第３の斜面４２１を押さえ付けることにより、パッキンリング４１が締付状態となる。また、パッキンリング４１の圧力を受ける位置が変形してケーブル９０上を締め付けることにより、ケーブル９０に対するパッキンとなる第２のパッキン領域が形成される。
【００３６】
これにより、ケーブル９０及び波形管９１は、パッキンリング４１及び締付リング５０の圧迫を別々に同時に受けることにより、２重の締付効果及び密封防水効果が実現され、ケーブル９０及び波形管９１が外力を受けて引っ張られ、緩むのを防止することができる。
【００３７】
また、ケーブル９０及び波形管９１は、固定部材１０及び外蓋３０の外部によって保護される以外に、接続部材２０によっても外部が保護されるため、保護を受ける長さ及び面積が増大し、多重の保護効果を有することができる。
【００３８】
本考案は、接続部材を重ね合わせ、複数の第１のパッキン部材で密封を行うことにより、多重の保護効果、気密性、防水性及び耐引張性を形成することができるため、ＩＰ等級を大幅に高めることができる。この原理は、綱引きを行う際、綱を引っ張る人が多いほど、作用力が大きくなる原理に類似する。これにより、本考案の固定ヘッドは、耐ねじれ性及び耐振動性を兼ね備えるため、振動が発生する機械に使用した場合、強力な振動を受けても緩みにくい。また、屋外環境で使用した場合、強風又は外力でケーブルが引っ張られても緩みにくい。また、深海環境、爆発性気体が存在する環境などにも適用され、実用性が高い。
【００３９】
ここで、従来のケーブル固定構造は、一般に内部圧迫式であるが、本考案の固定ヘッドは、外部圧迫式である。深海環境、爆発性気体が存在する環境などの高い圧力の環境において使用するためには、優れたＩＰ等級を有する必要があり、一般に、外部圧迫式のケーブル固定ヘッドは、重ね合わせる方式により、所望のＩＰ等級を達成する必要がある。
【００４０】
ユーザは、必要に応じて接続部材２０の数を増やすことができる。即ち、第２の外ねじ山２１及び第１の内ねじ山２４によって接続部材２０を互いに接続する上、接続部材２０に固定部材１０及び外蓋３０を接続することにより、多重の保護作用、気密性、防水性及び耐引張性の効果を更に高めることができる。
【００４１】
上述のケーブル９０は、波形管９１の保護作用を受けることにより、屋外環境で使用する際、防水、防塵、防衝、防虫、抗ＵＶなどの効果を有する。
【００４２】
上述の波形管９１の構造又は材料は、限定されない。波形管９１は、例えば、螺旋状の蛇管、一般の均等距離に波形を有する波形管などを含む。また、波形管９１の材料は、金属、プラスチック、ゴムなどの材料を含む。
【００４３】
図４〜図６を参照する。本実施形態中、接続部材２０は、２つであり、順番に結合する必要がない。固定プラグ１００は、少なくとも１つの第２のパッキン部材４００を更に含む。第２のパッキン部材４００は、２つの接続部材２０中の一方の接続部材２０の第１の透孔２２及び他方の接続部材２０の第２の透孔２５の中に設けられる。第２のパッキン部材４００は、第２のパッキンリング４００１と、第２のパッキンリング４００１に嵌設される第２の挟持爪４００２と、を含む。第２のパッキンリング４００１は、軸方向に貫通する通孔４０１１を有する。第２のパッキン部材４００及び第１のパッキン部材４０は、構造が同一であり、互いに置換して使用することができる。
【００４４】
本考案の一実施形態中、接続部材２０は、複数であり、順番に結合する必要がない。固定プラグ１００は、複数の第２のパッキン部材４００を更に含む。第２のパッキン部材４００は、第２のパッキンリング４００１と、第２のパッキンリング４００１に嵌設される第２の挟持爪４００２と、を含む。第２のパッキンリング４００１は、軸方向に貫通する通孔４０１１を有する。第２のパッキン部材４００は、２つの接続部材２０中の一方の接続部材２０の第１の透孔２２及び他方の接続部材２０の第２の透孔２５の中に設けられる。
【００４５】
本考案の固定ヘッド１００は、重ね合わされる複数の接続部材２０などの部材によってケーブル９０及び波形管９１を固定して電気ボックス又は機械上に結合することにより、多重の保護作用、気密性、防水性及び耐引張性を実現することができ、水分、埃などの異物が本考案の固定ヘッド１００から電気ボックス内に浸入するのを防止することができ、ＩＰ等級を高めることができる。また、耐ねじれ性及び耐振動性を兼ね備えるため、振動が発生する機械、屋外の強風などの外力でケーブルが引っ張られやすい環境、深海環境、爆発性気体が存在する環境などに適用される。
【００４６】
防水リング７０の一方の側面は、防水凸リング７１を含む。防水凸リング７１は、微小の水分、粉塵などがナット６０に浸入し、本考案の固定ヘッド１００が結合された電気ボックス内部に浸入するのを阻止する。
【００４７】
図７を参照する。本考案の一実施形態中、ケーブル９０は、波形管９１の内部に貫通される。ケーブル９０の外径は、波形管９１の内径より小さい。締付リング５０のフック部５２と反対側の側部は、締付部５７を更に含む。締付部５７は、締付リング５０中の円形端部から延設される。締付部５７の内径は、締付リング５０の内径より小さい。締付部５７により、締付リングが波形管を固定するためだけに使用される従来技術と異なり、本考案の締付リング５０は、波形管９１を固定すると共に、締付部５７がケーブル９０を固定する。これにより、ケーブル９０は、波形管９１の内部を貫通した後、締付リング５０の締付部５７によって被覆され、外蓋３０が第２の外ねじ山２１に螺合されて締付リング５０の締付部５７が圧迫されることにより、ケーブル９０が挟み付けられて固定される。これにより、もう１つの気密性、防水性及び耐引張性が形成される。
【００４８】
図８を参照する。本考案の一実施形態中、挟持爪４２は、固定部材１０の第１の外ねじ山１１の内側に形成される。即ち、第１の外ねじ山１１及び挟持爪４２は、一体成型することができ、これにより、部材の数量及び組立工程を減少させ、コストを節約することができる。その効果は、上述の実施形態と同一であり、ここでは説明しない。
【００４９】
図９を参照する。本考案一実施形態中、固定ヘッド１００は、固定部材１０、少なくとも１つの接続部材２０、外蓋３０及び第１のパッキン部材４０を含む。固定部材１０は、管状部材であり、第１の外ねじ山１１を含む。少なくとも１つの接続部材２０は、第２の外ねじ山２１と、軸方向に貫通する第１の透孔２２と、第１の透孔２２の内壁面に形成される第１の斜面２３と、第１の透孔２２の内壁面に形成される第１の内ねじ山２４と、を含む。第１の内ねじ山２４と第１の外ねじ山１１とは、螺合される。外蓋３０は、軸方向に貫通する穿孔３１と、穿孔３１の内壁面に形成される第２の斜面３２と、穿孔３１の内壁面に形成される第２の内ねじ山３３と、を含む。第２の内ねじ山３３と第２の外ねじ山２１とは、螺合される。第１のパッキン部材４０は、固定部材１０内部及び接続部材２０の第１の透孔２２中に設けられる。第１のパッキン部材４０は、パッキンリング４１と、パッキンリング４１に嵌設される挟持爪４２と、を含む。パッキンリング４１は、軸方向に貫通する通孔４１１及び外リング部５４を含む。外リング部５４は、締付リング５０の一方の側面を密封して延設される外壁構造を呈し、外リング部５４によって嵌合溝５５が画定される。フック部５２は、嵌合溝５５内部に形成される。
【００５０】
本考案の固定ヘッド１００を金属波形管９２（例えば、螺旋状の蛇管）が被覆されたケーブル９０に接続する際、金属波形管９２を嵌合溝５５中に嵌設し、フック部５２を金属波形管９２の内側の凹凸面に係合する。これにより、外蓋３０を回転させる（即ち、外蓋３０を接続部材２０の方向に螺進させる）と、外蓋３０の第２の斜面３２が締付リング５０を押さえ付けて締付状態にして変形させる。これにより、金属波形管９２に対するパッキンを形成することができる。
【００５１】
本実施形態中の挟持爪４２は、固定部材１０の第１の外ねじ山１１の内側に形成され（図９参照）、その効果は、前述の実施形態と同一である。
【００５２】
以上の説明から分かるように、本考案は、少なくとも以下（１）〜（６）に示す効果を有する。
（１）ＩＰ６８の防水性を有し、深海環境及び水底環境に適用可能な防水性及び耐引張性を有する。
（２）台風などで一般の閾値を超えた外力を受ける場合でも、固定力を倍増させることができる。
（３）耐振動性及び防水性を有する。
（４）一般の固定ヘッドの防水性及び耐引張性の限界を超えることができる。
（５）ＵＬ安全規格を満たす（例えば、電気ケーブルの留め具及びプラグは、０．６ｍｍ以上揺動してはいけない）。
（６）気密性に優れ、深海環境中において流体が浸入したり、爆破製気体が浸入したりするのを防止することができる。
【００５３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００５４】
１００  多重の気密性、防水性及び耐引張性を有するケーブル及び波形管の固定ヘッド
１０  固定部材
１１  第１の外ねじ山
１２  第３の外ねじ山
１３  ストッパ部
１４  係合溝
２０  接続部材
２１  第２の外ねじ山
２２  第１の透孔
２３  第１の斜面
２４  第１の内ねじ山
２５  第２の透孔
３０  外蓋
３１  穿孔
３２  第２の斜面
３３  第２の内ねじ山
４０  第１のパッキン部材
４１  パッキンリング
４１１  通孔
４１２  凸縁
４１３  頸部
４２  挟持爪
４２１  第３の斜面
４２２  爪部
４２３  締付凸部
４００  第２のパッキン部材
４００１  第２のパッキンリング
４００２  第２の挟持爪
４０１１  通孔
５０  締付リング
５１  貫孔
５２  フック部
５３  第４の斜面
５４  外リング部
５５  嵌合溝
５７  締付部
６０  ナット
７０  防水リング
７１  防水凸リング
８０  パネル
９０  ケーブル
９１  波形管
９１０  凹溝
９２  金属波形管
【図１】
0003192146.tif 000003
【図２Ａ】
0003192146.tif 000004
【図２Ｂ】
0003192146.tif 000005
【図３】
0003192146.tif 000006
【図４】
0003192146.tif 000007
【図５】
0003192146.tif 000008
【図６】
0003192146.tif 000009
【図７】
0003192146.tif 000010
【図８】
0003192146.tif 000011
【図９】
0003192146.tif 000012